(57)【要約】【課題】内部電極の消耗を均等化し、ひいてはランプ寿命を延ばすことができる放電ランプ点灯装置を提供する。【解決手段】ランプガラス管２の両管端の内部それぞれに内部電極５を設置し、内部電極に一端が接続された給電用リード線６の他端部をランプガラス管の管端部に気密に封着し、前記ランプガラス管の両管端部の外周面それぞれにその管端面部も含めて覆うように電流導体層７を形成した冷陰極蛍光ランプ１と、冷陰極蛍光ランプの電流導体層の端面部に密着する凹形状の接触面１２を持つ導体１３を絶縁覆材１４にて被覆した給電部材１１とを備え、導体の凹形状の接触面を電流導体層の端面部に密着させた状態で冷陰極蛍光ランプを給電部材に接続し、当該給電部材を電源に接続した放電ランプ給電点灯装置。【選択図】      図１
2008251254.tif 000002
【特許請求の範囲】
【請求項１】
ランプガラス管の両管端の内部それぞれに内部電極を設置し、前記内部電極に一端が接続された給電用リード線の他端部を前記ランプガラス管の管端部に気密に封着し、前記ランプガラス管の両管端部の外周面それぞれにその管端面部も含めて覆うように電流導体層を形成して当該電流導体層を前記内部電極と電気的に接続した冷陰極蛍光ランプと、
前記冷陰極蛍光ランプの前記電流導体層の端面部に密着する凹形状の接触面を持つ導体を絶縁覆材にて被覆した給電部材とを備え、
前記導体の凹形状の部分を前記電流導体層の端面部に密着させた状態で前記冷陰極蛍光ランプを前記給電部材に接続し、当該給電部材を電源に接続したことを特徴とする放電ランプ点灯装置。
【請求項２】
前記ランプガラス管の管端部外周面上の電流導体層は、半田ディッピング層であることを特徴とする請求項１に記載の放電ランプ点灯装置。
【発明の詳細な説明】
【技術分野】
【０００１】
本発明は、冷陰極蛍光ランプを点灯させる放電ランプ点灯装置に関する。
【背景技術】
【０００２】
従来、図８、図９に示す構造の冷陰極蛍光ランプ１が知られている。この冷陰極蛍光ランプ１は、ランプガラス管２の内壁に蛍光体膜３を形成し、内部の放電空間に１種類以上の希ガスと水銀を放電媒体４として封入し、該ランプガラス管２の両端内部に内部電極５を設置し、内部電極５から導出した給電用リード線６をランプガラス管２の端部に封着し、さらにランプガラス管２の端部外周に半田ディッピングにより電流導体層７を形成して給電用リード線６を通じて電流導体層７を内部電極５と導通状態にした構造である。
【０００３】
従来、このような冷陰極蛍光ランプ１を電源に接続して点灯させるための放電ランプ点灯装置に、配線基板（図示せず）に固定されたヒューズホルダー形の給電用ホルダー１１に冷陰極蛍光ランプ１の端部を嵌着してその外面の電流導体層７を給電用ホルダー１１と電気的に接触させると共に保持させるようにし、この給電用ホルダー１１に電源から給電することで給電用リード線６を通じて内部電極５にも給電し、放電点灯させる構成である。
【０００４】
このような従来の放電ランプ点灯装置の場合、給電用ホルダー１１が電流導体層７の一部分と接触しているだけなので、その接触部分だけで給電用ホルダー１１にランプ１側の発熱が放熱させることになり、図１０のグラフに示すように、電極近傍でのランプ管壁温度の軸方向の分布は、給電用ホルダー１１との接触部分Ａだけで局所的に低くなる。このようにランプガラス管の端部で他の部分よりも低くい温度の部分ができると、この温度の低い部分に対応する内部電極の一部分でスパッタが加速され、電極が局所的に削られるいわゆる電極削れが発生し、その部分から電極の消耗が進み、電極寿命が短くなり、ひいてはランプ寿命も短くなる問題点があった。
【特許文献１】特開２００６−１４７２９８号公報
【発明の開示】
【発明が解決しようとする課題】
【０００５】
本発明は、上述した従来技術の問題点に鑑みてなされたもので、内部電極の局所に集中して消耗が進むことがなく、内部電極の消耗を均等化し、ひいてはランプ寿命を延ばすことができる放電ランプ点灯装置を提供することを目的とする。
【課題を解決するための手段】
【０００６】
本発明は、ランプガラス管の両管端の内部それぞれに内部電極を設置し、前記内部電極に一端が接続された給電用リード線の他端部を前記ランプガラス管の管端部に気密に封着し、前記ランプガラス管の両管端部の外周面それぞれにその管端面部も含めて覆うように電流導体層を形成して当該電流導体層を前記内部電極と電気的に接続した冷陰極蛍光ランプと、前記冷陰極蛍光ランプの前記電流導体層の端面部に密着する凹形状の接触面を持つ導体を絶縁覆材にて被覆した給電部材とを備え、前記導体の凹形状の部分を前記電流導体層の端面部に密着させた状態で前記冷陰極蛍光ランプを前記給電部材に接続し、当該給電部材を電源に接続した放電ランプ点灯装置を特徴とする。
【発明の効果】
【０００７】
本発明の放電ランプ点灯装置によれば、ランプガラス管の管端面の形状に合わせた凹形状の接触面を持つ導体を絶縁覆材にて被覆した給電部材を、その凹形状の部分を電流導体層の端面部に密着させることで冷陰極蛍光ランプに接続し、当該給電部材を電源に接続する構成にしたので、電流導体の端面部分が給電部材によって放熱されるだけであり、内部電極に対応する部分に局所的に低い温度になる部分がなく、内部電極の一部に電極削れが発生することがなくて内部電極の消耗を均等化することができ、ひいてはランプ寿命の長命化が図れる。
【発明を実施するための最良の形態】
【０００８】
以下、本発明の実施の形態を図に基づいて詳説する。
【０００９】
（第１の実施の形態）図１、図２は、本発明の１つの実施の形態の放電ランプ点灯装置を示している。冷陰極蛍光ランプ１は従来例と同様であり、ランプガラス管２の内壁に蛍光体膜３を形成し、内部の放電空間に１種類以上の希ガスと水銀を放電媒体４として封入し、該ランプガラス管２の両端内部に内部電極５を設置し、内部電極５から導出した給電用リード線６をランプガラス管２の端部に封着し、さらにランプガラス管２の端部外周に半田ディッピングにより電流導体層７を形成して給電用リード線６を通じて電流導体層７を内部電極５と導通状態にした構造である。
【００１０】
この冷陰極蛍光ランプ１の両端を機械的に保持すると共にその電流導体層７に対して給電する給電部材１１は、電流導体層７の端面部に密着する凹形状の接触面１２を持つ導体１３を絶縁覆材１４にて被覆した構造である。そして、この給電部材１１の凹形状の接触面１２の部分を電流導体層７の端面部に密着させた状態で冷陰極蛍光ランプ１を給電部材１１に接続し、当該給電部材１１を電源（図示せず）に接続する。導体１３にはリン青銅やそのメッキ物を素材として用いている。絶縁覆材１４には、シリコーン樹脂やＰＡ６６ナイロンのような比較的固めの樹脂を素材として用いている。
【００１１】
図１、図２において、１５は配線基板の導体パターンであり、この導体パターン１５に給電部材１１の導体１３の絶縁覆材１４から露出させた端部をたとえば半田１６にて固定することで給電部材１１自体を固定している。
【００１２】
本実施の形態の放電ランプ点灯装置によれば、ランプガラス管２の管端面の形状に合わせた凹形状の接触面１２を持つ導体１３を絶縁覆材１４にて被覆した給電部材１１を、その凹形状の接触面１２を電流導体層７の端面部に密着させることで冷陰極蛍光ランプ１に接続し、当該給電部材１１を電源に接続する構成なので、電流導体層７の端面部が給電部材１１を介して放熱されるだけであり、内部電極５に対応する部分に局所的に低い温度になる部分がなく、内部電極５の一部に電極削れが発生することがなくて内部電極５の消耗を均等化することができ、ひいてはランプ寿命の長命化が図れる。
【００１３】
尚、図３に示したように、冷陰極蛍光ランプ１側の電流導体層７の長さは短くすることもできる。また、図４に示したように、給電部材１１側の絶縁覆材１４を、冷陰極蛍光ランプ１の端部外周をすっぽり覆うことができる長さに長くしてランプ保持の安定性を向上させ、また電流導体層７から周辺部材への放電を確実に防ぐ構成にすることもできる。
【００１４】
（第２の実施の形態）図５は、本発明の第２の実施の形態の放電ランプ点灯装置を示している。本実施の形態の放電ランプ点灯装置において、冷陰極蛍光ランプ１は従来例と同様の構造である。そして、給電部材１１は、電流導体層７の端面部に密着する凹形状の接触面１２を持つ導体１３の他端部を、絶縁覆材１４より露出しない長さにまで短くし、かつ、絶縁覆材１４内においてこの導体１３の端部にワイヤーハーネス１７を接続した構造である。
【００１５】
本実施の形態の放電ランプ点灯装置は特にバックライトユニットの光源として利用するのに適しており、ユニットケース２１の取付け孔２２に絶縁覆材１４の端部を挿通して固定し、導体１３の端部に接続されたワイヤーハーネス１７を外部に引き出し、ケース２１の背面に設置されるインバータのような電源（図示せず）に接続する。
【００１６】
本実施の形態の放電ランプ点灯装置にあっても、第１の実施の形態と同様に、電流導体層７の端面部が給電部材１１を介して放熱されるだけであり、内部電極５に対応する部分に局所的に低い温度になる部分がなく、内部電極５の一部に電極削れが発生することがなくて内部電極５の消耗を均等化することができ、ひいてはランプ寿命の長命化が図れる。
【００１７】
（第３の実施の形態）図６、図７を用いて、本発明の第３の実施の形態の放電ランプ点灯装置について説明する。本実施の形態の放電ランプ点灯装置は、給電部材１１０として円筒形の絶縁覆材１１１の内部に金属バネ体１１２を内挿し、この金属バネ体１１２に接続した給電用リード１１３を絶縁覆材１１１から外に導出した構造のものを用いることを特徴としている。金属バネ体１１２の湾曲バネ部１１２Ａは周方向の複数箇所、等間隔に離れた少なくとも３カ所に形成されている。給電部材１１０の絶縁覆材１１１の長さは、これにて保持させる冷陰極蛍光ランプ１の端部外周の電流導体層７の長さとほぼ同じである。尚、冷陰極蛍光ランプ１については、従来例や第１の実施の形態と共通するものである。
【００１８】
本実施の形態の放電ランプ点灯装置では、冷陰極蛍光ランプ１の両端それぞれを両側に設置されている給電部材１１０それぞれの金属バネ体１１２に圧入させて湾曲バネ部１１２Ａのバネ性によって電流導体層７に圧接させてランプ端部を支持させると共に電気的に接触させる。これにより、給電部材１１０の絶縁覆材１１１の長さを冷陰極蛍光ランプ１の電流導体層７の部分とほぼ等しくしているので、電流導体層７が外部に露出せず、周辺部材への放電を防止でき、かつ、確実に保持して給電できる。
【図面の簡単な説明】
【００１９】
【図１】本発明の第１の実施の形態の放電ランプ点灯装置の正面図。
【図２】上記実施の形態の放電ランプ点灯装置の断面図。
【図３】上記実施の形態の放電ランプ点灯装置の変形例の１つを示す断面図。
【図４】上記実施の形態の放電ランプ点灯装置の変形例の別の１つを示す断面図。
【図５】本発明の第２の実施の形態の放電ランプ点灯装置の断面図。
【図６】本発明の第３の実施の形態の放電ランプ点灯装置の一部破断せる分解正面図。
【図７】上記実施の形態の放電ランプ点灯装置の正面図。
【図８】従来例の放電ランプ点灯装置の正面図。
【図９】従来例の放電ランプ点灯装置の断面図。
【図１０】従来例における冷陰極蛍光ランプの電流導体層部分の温度分布のグラフ。
【符号の説明】
【００２０】
１  冷陰極蛍光ランプ
２  ランプガラス管
５  内部電極
６  給電用リード線
７  電流導体層
１１  給電部材
１２  接触面
１３  導体
１４  絶縁覆材
【図１】
2008251254.tif 000003
【図２】
2008251254.tif 000004
【図３】
2008251254.tif 000005
【図４】
2008251254.tif 000006
【図５】
2008251254.tif 000007
【図６】
2008251254.tif 000008
【図７】
2008251254.tif 000009
【図８】
2008251254.tif 000010
【図９】
2008251254.tif 000011
【図１０】
2008251254.tif 000012